(57)【特許請求の範囲】
【請求項１】
消費者アカウントに積立された積立金の総額が大きい順に、消費者の順位を設定し、前記積立金の総額の変動に応じて前記順位を調整する順位設定モジュール、及び
前記消費者の消費によって発生する積立金の一部を前記消費者の先順位消費者に積立する積立モジュールを含み、
前記積立モジュールが前記積立金の一部を前記先順位消費者に積立する方式は、
前記消費者の消費によって発生した積立金の予め決められた比率を１順位消費者に積立し、前記積立金から前記１順位消費者の積立金を除いた金額から前記予め決められた比率を２順位消費者に積立する段階を含み、
前記積立モジュールは前記段階を前記先順位消費者全員に順次的に適用し、
前記積立金から前記先順位消費者全員に分配して残りの金額を前記消費者に積立し、
前記消費者アカウントに積立された積立金は前記消費者によって充填された積立金をさらに含むことを特徴とする、積立金の順位に基づいて追加積立が行われる積立金管理システム。
【請求項２】
前記順位設定モジュールは、
前記消費者アカウントに積立された積立金及び前記消費者の消費によって発生した販売者の売上高の総計が大きい順に、前記消費者の順位を設定することを特徴とする、請求項１に記載の積立金の順位に基づいて追加積立が行われる積立金管理システム。
【請求項３】
前記売上高は、
前記消費者の消費時に発生した販売者の売上高及び前払い額を含むことを特徴とする、請求項２に記載の積立金の順位に基づいて追加積立が行われる積立金管理システム。
【請求項４】
前記順位設定モジュールは、
前記積立モジュールの積立金の積立によって変動する積立金の総額に応じてリアルタイムで前記順位を調節することを特徴とする、請求項１に記載の積立金の順位に基づいて追加積立が行われる積立金管理システム。
【請求項５】
前記積立モジュールは、
前記消費者の積立金の使用に応じて、前記消費者アカウントの積立金を差引することを特徴とする、請求項１に記載の積立金の順位に基づいて追加積立が行われる積立金管理システム。
【発明の詳細な説明】
【技術分野】
【０００１】
本発明は、積立金管理システムに関するものであって、より具体的には、積立金の順位に基づいて追加積立が行われる積立金管理システムに関するものである。
【背景技術】
【０００２】
積立金は、企業などが消費者の再訪問/再利用及び積立金の使用に伴う消費を誘導するために、オンライン又はオフラインで消費者に支給する一種の仮想通貨又はサイバーマネーであって、ポイント、マイルなどの多様な名称で呼ばれることができる。
【０００３】
このような積立金は、一般的に消費者が購入した金額の一定比率を積立させ、積立された積立金は消費者が商品購入時に現金のように使用できるようにしたり、クーポンや特定商品と交換できるようにしたりする。
【０００４】
積立金の支払い方法に関連して、イベントなどで積立比率を一時的に高く設定したり、特定商品の購入時に一定の金額の積立金を支給したりするなどで、その方法を多様化する試みがあるが、基本的には既存の積立金システムと同じ構造を維持している。したがって、消費者は、積立金を集めるのが難しいし積立金自体に投資価値もないため、積立金に対して大きな魅力を感じることができずにおり、使用されずに消滅してしまう積立金の額も相当なのが実情である。
【０００５】
一方、本発明に関連する先行技術として、韓国公開特許第１０−２０１３−００６２３８７号（発明の名称：加盟店を選択したユーザーに追加積立金を提供する積立金管理システム及び方法、公開日：２０１３年０６月１３日）、韓国公開特許第１０−２０１２−００４８８７１号（発明の名称：広告主によって決定される積立金の比率を利用して広告主とユーザーとの間の取引に対する積立金を決定する積立金管理システム及び方法、公開日：２０１２年０５月１６日）などが開示されている。
【先行技術文献】
【特許文献】
【０００６】
【特許文献１】韓国公開特許第１０−２０１３−００６２３８７号公報
【特許文献２】韓国公開特許第１０−２０１２−００４８８７１号公報
【発明の概要】
【発明が解決しようとする課題】
【０００７】
本発明は、従来提案された方法の上記のような問題点を解決するために提案されたものであって、消費者アカウントに積立された積立金の総額に応じて消費者の順位を設定し、消費者の消費によって発生する積立金の予め決められた比率を、消費者の先順位消費者アカウントに積立することにより、消費をすればするほど順位が上昇し、順位が高いほど他人の消費によって積立金が急速に蓄積され、これによって消費者が迅速に積立金を集めることができるようになり、積立金で投資又は財テクをすることができるため、消費者の満足度を向上させることができる、積立金の順位に基づいて追加積立が行われる積立金管理システムを提供することをその目的とする。
【０００８】
また、本発明は、消費者によって充填された積立金を消費によって発生した積立金と統合して管理することにより、消費者が前払い方式で積立金を充填して順位の上昇を図り、積立金が急速に蓄積されるようにできる、積立金の順位に基づいて追加積立が行われる積立金管理システムを提供することを他の目的とする。
【課題を解決するための手段】
【０００９】
上記した目的を達成するための本発明の特徴による積立金の順位に基づいて追加積立が行われる積立金管理システムは、積立金管理システムであって、消費者アカウントに積立された積立金の総額に応じて消費者の順位を設定し、上記積立金の総額の変動に応じて上記順位を調整する順位設定モジュール、及び上記消費者の消費によって発生する積立金の予め決められた比率を上記消費者の先順位消費者に積立する積立モジュールを含むことをその構成上の特徴とする。
【００１０】
好ましくは、上記順位設定モジュールは、上記消費者アカウントに積立された積立金の総額が大きい順に、上記消費者の順位を設定することができる。
【００１１】
好ましくは、上記順位設定モジュールは、上記消費者アカウントに積立された積立金及び上記消費者アカウントで発生した売上高の総計が大きい順に、上記消費者の順位を設定することができる。
【００１２】
さらに好ましくは、上記の売上高は、上記消費者の消費によって発生した売上高及び前払い額を含むことができる。
【００１３】
さらに好ましくは、上記消費者アカウントに積立された積立金は、上記消費者の消費によって発生及び積立された積立金及び他の消費者の消費によって発生して上記消費者のアカウントに積立された積立金を含み、上記消費者によって充填された積立金をさらに含むことができる。
【００１４】
好ましくは、上記順位設定モジュールは、上記積立モジュールの積立金の積立によって変動する積立金の総額に応じてリアルタイムで上記順位を調節することができる。
【００１５】
好ましくは、上記積立モジュールは、Ｎ順位消費者の消費によって発生する積立金の予め決められた比率を１順位乃至Ｎ−１順位消費者のアカウントに積立するにおいて、上記発生した積立金全体の予め決められた比率を１順位消費者に積立し、１乃至Ｎ−１順位消費者に積立して残りの積立金の予め決められた比率をＮ順位消費者に積立し（Ｎは２以上Ｎ−１以下の整数）、上記１順位乃至Ｎ−１順位消費者に積立して残りの積立金を上記Ｎ順位消費者に積立することができる。
【００１６】
好ましくは、上記積立モジュールは、上記消費者の積立金の使用に応じて、上記消費者アカウントの積立金を差引することができる。
【発明の効果】
【００１７】
本発明で提案している積立金の順位に基づいて追加積立が行われる積立金管理システムによると、消費者アカウントに積立された積立金の総額に応じて消費者の順位を設定し、消費者の消費によって発生する積立金の予め決められた比率を消費者の先順位消費者アカウントに積立することにより、消費をすればするほど順位が上昇し、順位が高いほど他人の消費によって積立金が急速に蓄積され、これによって消費者が迅速に積立金を集めることができるようになり、積立金で投資又は財テクをすることができるため、消費者の満足度を向上させることができる。
【００１８】
また、本発明によると、消費者によって充填された積立金を消費によって発生した積立金と統合して管理することにより、消費者が前払い方法で積立金を充填して順位の上昇を図り、積立金が急速に蓄積されるようにすることができる。
【図面の簡単な説明】
【００１９】
【図１】本発明の一実施例による積立金の順位に基づいて追加積立が行われる積立金管理システムの構成を図示した図面である。
【図２】本発明の一実施例による積立金の順位に基づいて追加積立が行われる積立金管理システムにおいて、積立金の積立及び順位の変動を例えで図示した図面である。
【図３】本発明の一実施例による積立金の順位に基づいて追加積立が行われる積立金管理システムにおいて、積立金の積立及び順位の変動を例えで図示した図面である。
【図４】本発明の一実施例による積立金の順位に基づいて追加積立が行われる積立金管理システムにおいて、積立金の積立及び順位の変動を例えで図示した図面である。
【図５】本発明の一実施例による積立金の順位に基づいて追加積立が行われる積立金管理システムにおいて、積立金の積立及び順位の変動を例えで図示した図面である。
【発明を実施するための形態】
【００２０】
以下、添付した図面を参照して、本発明が属する技術分野において通常の知識を有する者が本発明を容易に実施できるように好ましい実施例を詳細に説明する。但し、本発明の好ましい実施例を詳細に説明するにあたり、関る公知の機能または構成に対する具体的な説明が本発明の要旨を不必要に曖昧にすると判断される場合は、その詳細な説明を省略する。また、同様の機能及び作用をする部分に対しては図面全体にわたって同一の符号を使用する。
【００２１】
なお、明細書全体において、ある部分が他の部分と「連結」されているとすると、これは「直接的に連結」されている場合だけでなく、その間に他の部材を介在して「間接的に連結」されている場合も含む。また、ある構成要素を「含む」とすると、特に反対の記載がない限り、他の構成要素を除外することではなく、他の構成要素をさらに備えることができるということを意味する。
【００２２】
図１は、本発明の一実施例による積立金の順位に基づいて追加積立が行われる積立金管理システム（１０）の構成を図示した図面である。図１に図示したように、本発明の一実施例による積立金の順位に基づいて追加積立が行われる積立金管理システム（１０）は、順位設定モジュール（１００）及び積立モジュール（２００）を含んで構成されることができる。
【００２３】
即ち、本発明は、順位設定モジュール（１００）が、消費者アカウントに積立された積立金の総額に応じて消費者の順位を設定し、積立モジュール（２００）が、消費者の消費によって発生する積立金の予め決められた比率を消費者の先順位消費者アカウントに積立することができる。したがって、消費者が消費をすればするほど順位が上昇し、順位が高いほど他人の消費によって積立金が急速に蓄積され、これによって消費者が迅速に積立金を集めることができ、積立金で投資又は財テクをすることができる。
【００２４】
以下では、本発明の一実施例による積立金の順位に基づいて追加積立が行われる積立金管理システム（１０）を構成する各構成要素について詳細に説明する。
【００２５】
順位設定モジュール（１００）は、消費者アカウントに積立された積立金の総額に応じて消費者の順位を設定し、積立金の総額の変動に応じて順位を調整することができる。この際、順位設定モジュール（１００）は、消費者アカウントに積立された積立金の総額が大きい順に、消費者の順位を設定することができる。
【００２６】
ここで、消費者アカウントに積立された積立金は、消費者の消費によって発生及び積立された積立金及び他の消費者の消費によって発生して消費者のアカウントに積立された積立金を含み、消費者によって充填された積立金をさらに含むことができる。即ち、消費者がクレジットカード、口座振込、ギフトカード、ポイント、クーポン等を利用して積立金を充填ることができ、このような方法で充填された積立金も消費によって発生及び積立された積立金と同等に統合して管理することができる。したがって、順位を迅速に上昇させようとする消費者は、積立金を充填して積立金総額を大きくすることにより、順位の上昇を図ることができる。
【００２７】
実施例によっては、消費者アカウントに積立された積立金及び消費者アカウントで発生した売上高の総計が大きい順に、消費者の順位を設定することができる。即ち、消費者が消費を通じて売上に寄与した程度を順位に反映することができる。商品によっては、商品の価格に比べて相対的に積立額が少ない商品がある場合があるが、消費者がこのような商品の購入によって不利益を受けるという感じを最小限にし、より公正に順位が決まるようにすることができる。
【００２８】
この際、売上高は、消費者の消費によって発生した売上高及び前払い額を含むことができる。即ち、積立金の充填と同様の概念であって、ユーザーは商品を購入せずに使用する金額をあらかじめ支払いすることができ、このような前払い額を売上高に含ませることにより、消費者が実際に使用した金額が順位に正確に反映されることができる。また、売上高は、６ヶ月、１年、３年などのように、予め決められた期間中の売上高だけを考慮することにより、継続的な消費を誘導し、新しい消費者たちも高い順位になる可能性があるようにする。
【００２９】
一方、順位設定モジュール（１００）は、以下で詳細に説明する積立モジュール（２００）の積立金の積立によって変動する積立金の総額に応じてリアルタイムで順位を調節することができる。即ち、積立モジュール（２００）の積立結果に基づいて各消費者の積立金総額は頻繁に変動することができ、このような積立金総額の変化を順位設定モジュール（１００）がリアルタイムで順位に反映することができる。
【００３０】
積立モジュール（２００）は、消費者の消費によって発生する積立金の予め決められた比率を消費者の先順位消費者に積立することができる。即ち、順位設定モジュール（１００）で設定された順位に基づいて、特定の順位の消費者の消費によって積立金が発生すると、特定の順位より上位順位の消費者に発生した積立金の一部を積立することができる。したがって、順位が高い消費者は、自分で消費をしなくても他人の消費によって積立金が自動的に増えることができる。
【００３１】
より具体的には、積立モジュール（２００）は、Ｎ順位消費者の消費によって発生する積立金の予め決められた比率を１順位乃至Ｎ−１順位消費者のアカウントに積立するにおいて、発生した積立金全体の予め決められた比率を１順位消費者に積立し、１乃至ｎ−１順位消費者に積立して残りの積立金の予め決められた比率をｎ順位消費者に積立し（ｎは２以上Ｎ−１以下の整数）、１順位乃至Ｎ−１順位消費者に積立して残りの積立金をＮ順位消費者に積立することができる。
【００３２】
例えば、１０順位の消費者の消費によって積立金が発生すると、１順位乃至９順位の消費者に順次的に積立金の予め決められた比率を提供し、残りの積立金を該当消費者が積立することができている。この際、先順位消費者たちの中で、１順位消費者に支給される積立金が最も多く、次第にその額が減り、９順位の消費者に支給される積立金が最も少なく、１１順位以上の消費者は消費をした１０順位消費者より後順位であるため、積立金が提供されないことがある。
【００３３】
順位設定モジュール（１００）は、このような積立モジュール（２００）の積立結果を反映してリアルタイムで順位を調整することができる。したがって、積立金の発生及び積立時ごとに順位が変動することができる。
【００３４】
図２乃至図５は、本発明の一実施例による積立金の順位に基づいて追加積立が行われる積立金管理システム（１０）において、積立金の積立及び順位の変動を例えで図示した図面である。以下では、図２乃至図５を参照して、本発明の一実施例による積立金の順位に基づいて追加積立が行われる積立金管理システム（１０）による、順位設定及び積立金の積立過程について詳細に説明する。
【００３５】
まず、図２に図示したように、Ａ、Ｂ及びＣが全て売上高及び積立金が０の状態であれば、Ａ、Ｂ及びＣの順位が同一であることができる。このような状態で、Ａが、価格が８０００ウォンであって提供される積立金が３０００ウォンである商品を購入すると、Ａの先順位消費者がいないため、３０００ウォンの積立金が全てＡに積立される。
【００３６】
このような積立結果を反映して、順位設定モジュール（１００）は、積立金総額に応じてＡ（積立金３０００ウォン）を１順位にし、ＢとＣ（積立金０ウォン）を２順位にして、図３に図示したように順位を調整することができる。２順位のＢが、価格が２００００ウォンであって提供される積立金が８０００ウォンである商品を購入すると、Ｂの先順位消費者Ａに積立金８０００ウォンの一部を積立することになる。例えば、予め決められた比率が１０％であれば、積立金８０００ウォンの１０％である８００ウォンをＢの先順位消費者Ａのアカウントに積立してＡの積立金総額は３８００ウォンになり、Ｂは残りの７２００ウォンの積立金を積立することができる。
【００３７】
結果的に、Ｂの積立金総額がＡの積立金総額より多くなったので、順位設定モジュール（１００）は、図４に図示したように、Ｂ（積立金７２００ウォン）を１順位、Ａ（積立金３８００ウォン）を２順位、Ｃ（積立金０ウォン）を３順位に調整することができる。３順位のＣが、価格が１００００ウォンであって提供される積立金が５０００ウォンである商品を購入すると、Ｃの先順位消費者Ａ及びＢの中で、１順位消費者のＢに先に５０００ウォンの１０％である５００ウォンを積立して、Ｂの積立金総額は７７００ウォンになることができる。残りの積立金である４５００ウォンの中で、２順位消費者のＡに残りの積立金４５００ウォンの１０％である４５０ウォンを積立して、Ａの積立金総額は４２５０ウォンになり、Ｃは先順位消費者であるＡ及びＢに積立をした後、残りの４０５０ウォンを積立することができる。
【００３８】
順位設定モジュール（１００）が順位を積立金総額によって決定する場合、図５に図示したようにＢが１順位、Ａが２順位、Ｃが３順位で順位はそのままであることができる。売上高と積立金総額をすべて考慮して順位を決定する場合は、Ｂが１順位、Ｃが２順位、Ａが３順位で、Ｃの消費によってＡとＣの順位が変更されることもある。
【００３９】
一方、積立モジュール（２００）は、消費者の積立金の使用に応じて、消費者アカウントの積立金を差引することができる。即ち、積立金は商品の購入時に現金のように使用が可能であって、消費者が積立金を使用して支払いをすると、積立モジュール（２００）は使用された分の積立金を差引することができる。該当消費者の積立金総額が減少するため、順位設定モジュール（１００）が差引された積立金を反映して順位をリアルタイムで調整することができる。
【００４０】
以上説明した本発明は、本発明の属する技術分野における通常の知識を有する者によって多様な変形や応用が可能であり、本発明による技術的思想の範囲は以下の特許請求の範囲によって決められるべきである。
【符号の説明】
【００４１】
１０  本発明の一実施例による積立金管理システム、１００  順位設定モジュール、２００  積立モジュール。
【図１】
0006427716.tif 000002
【図２】
0006427716.tif 000003
【図３】
0006427716.tif 000004
【図４】
0006427716.tif 000005
【図５】
0006427716.tif 000006